(57)【要約】【課題】ケーブルによってコンピュータからノイズが取り出され、コンピュータ上に蓄積するのを防ぐことができるコンピュータ用インターフェイスカードを提供する。【解決手段】回路基板、第１、第２のコネクタ、いくつかの第１、第２、第３の導体、カバーおよび底部を含むコンピュータ用インターフェイスカードを提供する。第１のコネクタは回路基板の一端に設置され、ケーブルに電気的に接続され、第２のコネクタは回路基板の他端に設置され、コンピュータの第１のコネクタおよび第３のコネクタに電気的に接続される。第２のコネクタと第３のコネクタとの間の信号伝送インターフェイスは、ＰＣＭＣＩＡ、カードバスまたはエクスプレスカードバスインターフェイスを含む。カバーおよび底部のカバーは一緒に留められ回路基板を支持する。カバーおよび底部はそれぞれ金属カバーおよび金属基板を有し、金属カバーは第１の導体および金属基板に電気的に接続される。【選択図】      図１
2006202256.tif 000002
【特許請求の範囲】
【請求項１】
上部表面および下部表面を有する回路基板と、
前記回路基板の一端に設置され、ケーブルに電気的に接続される第１のコネクタと、
前記回路基板の他端に設置され、コンピュータの第３のコネクタおよび前記第１のコネクタに電気的に接続される、第２のコネクタとを含み、
前記第２のコネクタと前記第３のコネクタとの間における信号伝送インターフェイスは、ＰＣＭＣＩＡ、カードバス（Ｃａｒｄ  Ｂｕｓ）またはエクスプレスカードバス（Ｅｘｐｒｅｓｓ  Ｃａｒｄ  Ｂｕｓ）インターフェイスであり、
前記回路基板の上部表面に取り付けられ、前記回路基板の接地端に電気的に接続される、複数の第１の上部導体と、
前記第1のコネクタの金属シェルに設置され、前記第１のコネクタの前記金属シェルと電気的に接続される、第２の上部導体と、
一緒に留められ回路基板を保持し、前記第1のコネクタおよび前記第２のコネクタの一部を露出する、カバーおよび底面を含み、
前記カバーは上部金属カバーおよび上部絶縁カバーを有し、前記底面は、前記上部金属カバーに対応する下部金属基板と、前記上部絶縁カバーに対応する下部絶縁基板を有し、前記上部金属カバーは、前記第1の上部導体および前記下部金属基板に電気的に接続され、
前記上部絶縁カバーの内部表面に設置され、前記上部金属カバーおよび前記第２の上部導体に電気的に接続される、第３の上部導体とを含むことを特徴とするコンピュータ用インターフェイスカード。
【請求項２】
請求項１に記載のコンピュータ用インターフェイスカードであって、さらに、
前記回路基板の下部表面に設置され、前記回路基板の接地端および前記下部金属基板に電気的に接続される、複数の第１の下部導体を含むことを特徴とするコンピュータ用インターフェイスカード。
【請求項３】
請求項２に記載のコンピュータ用インターフェイスカードであって、さらに、
前記回路基板の上部表面に設置され、それにより前記第１の上部導体が、前記回路基板の接地端に電気的に接続される、複数の上部金属パッドを含み、これに対応して、前記第1の上部導体は前記上部金属パッドに設置され、
前記回路基板の下部表面に設置され、この回路基板の接地端に電気的に接続される、複数の上部金属パッドを含み、それに対応して、前記第1の下部導体が前記上部金属パッドに設置されることを特徴とするコンピュータ用インターフェイスカード。
【請求項４】
請求項２に記載のコンピュータ用インターフェイスカードであって、さらに、
上部金属カバーの内部表面の一部に設置され、複数の上部開口を有する上部マイラーを含み、
前記上部開口により、前記第１の上部導体は、前記上部金属カバーに電気的に接続され、
前記下部金属基板の内部表面の一部に設置され、複数の下部開口を有する下部マイラーを含み、この下部開口により、前記第１の下部導体が前記下部金属基板に電気的に接続されることを特徴とするコンピュータ用インターフェイスカード。
【請求項５】
請求項２に記載のコンピュータ用インターフェイスカードであって、
前記コンピュータはスロットを有し、そのスロットは底面および金属スロットの壁を有し、前記スロットの底部には第３のコネクタが設置され、また、前記コンピュータ用インターフェイスカードはさらに、
前記下部金属基板の外部表面に設置され、この下部金属基板に電気的に接続される第２の下部導体を含み、前記第２の下部導体は、第２のコネクタが前記コンピュータの第３のコネクタに電気的に接続された場合に、前記金属スロットの壁に電気的に接続されることを特徴とするコンピュータ用インターフェイスカード。
【請求項６】
請求項５に記載のコンピュータ用インターフェイスカードであって、
前記第２のコネクタが、前記コンピュータの前記第３のコネクタに電気的に接続される際に、前記上部金属カバーと前記上部絶縁カバーとの間の接続、および、前記下部金属基板と前記下部絶縁基板との接続が、前記スロットの開口に対応し、それにより前記上部金属カバーおよび前記下部金属基板は、前記スロット内部に位置し、また、前記上部絶縁カバーおよび前記下部絶縁基板が前記スロットの外側に露出することを特徴とするコンピュータ用インターフェイスカード。
【請求項７】
前記複数の第１の上部導体のうち１つが、前記上部金属カバーと前記上部絶縁カバーとの間の接続に対応することを特徴とする請求項６に記載のコンピュータ用インターフェイスカード。
【請求項８】
請求項１に記載のコンピュータ用インターフェイスカードであって、さらに、
前記回路基板の上部表面に設置され、前記第２のコネクタに電気的に接続される、第４のコネクタを含み、前記第４のコネクタは、前記カバーと前記底面の外側に露出することが可能であり、前記第４のコネクタの信号伝送インターフェイスが、ユニバーサル・シリアル・バス（ＵＳＢ）インターフェイスまたはＩＥＥＥ１３９４バスインターフェイスであることを特徴とするコンピュータ用インターフェイスカード。 
【請求項９】
請求項８に記載のコンピュータ用インターフェイスカードであって、さらに、
前記第４のコネクタの金属シェルに設置され、前記第３の上部導体に電気的に接続される、第４の上部導体を含むことを特徴とするコンピュータ用インターフェイスカード。
【請求項１０】
請求項８に記載のコンピュータ用インターフェイスカードであって、さらに、
前記回路基板の上部表面に設置され、前記第２のコネクタに電気的に接続される第５のコネクタを含み、前記第５のコネクタは、上記カバーおよび上記底面の外部に露出することができ、Ｓ−ビデオ信号線、Ｖ−ビデオ信号線、もしくは左右音声信号ラインに電気的に接続されることを特徴とするコンピュータ用インターフェイスカード。
【請求項１１】
請求項１０に記載のコンピュータ用インターフェイスカードであって、さらに、
前記第５のコネクタの金属シェル上に設置され、前記第３の上部導体に電気的に接続される、第５の上部導体を含むことを特徴とするコンピュータ用インターフェイスカード。
【請求項１２】
コンピュータ用インターフェイスカードであって、
上部表面および下部表面を有する回路基板と、
前記回路基板の一端に設置され、コンピュータの第２のコネクタに電気的に接続される、第１のコネクタを含み、
前記第１のコネクタと前記第２のコネクタとの間の、前記信号伝送インターフェイスが、ＰＣＭＣＩＡ、カードバス、もしくはエクスプレスカードバスインターフェイスを含み、
前記回路基板の上部表面に設置され、前記回路基板の接地端に電気的に接続される、複数の第１の上部導体と、
一緒に留められ前記回路基板を保持し、前記第１のコネクタの一部を露出する、カバーおよび底面とを含み、上記カバーは、上部金属カバーおよび上部絶縁カバーを有し、上記底面は、前記上部金属カバーに対応する下部金属基板、および、前記上部絶縁カバーに対応する下部絶縁基板を有し、
前記上部金属カバーは前記第１の上部導体および前記下部金属基板に電気的に接続されることを特徴とするコンピュータ用インターフェイスカード。
【請求項１３】
請求項１２に記載のコンピュータ用インターフェイスカードであって、さらに、
前記回路基板の下部表面に設置され、前記回路基板の接地端および前記下部金属基板に電気的に接続される、複数の第１の下部導体を含むことを特徴とするコンピュータ用インターフェイスカード。
【請求項１４】
請求項１３に記載のコンピュータ用インターフェイスカードであって、
前記コンピュータはスロットを有し、このスロットはスロットの底部および金属スロットの壁を有し、前記スロットの底部には前記第２のコネクタが設置され、上記コンピュータ用インターフェイスカードはさらに、
前記下部金属基板の外部表面に設置され、前記下部金属基板に電気的に接続される第２の下部導体を含み、また、
前記第１のコネクタが前記コンピュータの第２のコネクタに電気的に接続されると、前記第２の下部導体が前記金属スロットに電気的に接続されることを特徴とするコンピュータ用インターフェイスカード。
【請求項１５】
請求項１２に記載のコンピュータ用インターフェイスカードであって、さらに、
前記回路基板の他端に設置され、前記第１のコネクタに電気的に接続され、また、ケーブルに電気的に接続される、第３のコネクタと、
前記第３のコネクタの金属シェル上に設置され、前記第３のコネクタの金属シェルに電気的に接続される、第２の上部導体と、
前記上部絶縁カバーの内部表面に設置され、前記上部金属カバーおよび前記第２の上部導体に電気的に接続される、第３の上部導体とを含むことを特徴とするコンピュータ用インターフェイスカード。
【請求項１６】
コンピュータ用インターフェイスカードであって、さらに、
上部表面および下部表面を有する回路基板と、
上記回路基板の一端に設置され、ケーブルに電気的に接続される、第１のコネクタと、
前記第１のコネクタの金属シェル上に設置され、前記第１のコネクタの金属シェルに電気的に接続される、第１の上部導体と、
一緒に留められ前記回路基板を支持し、前記第１のコネクタの一部を露出するカバーおよび底面を含み、
前記カバーは、上部金属カバーおよび上部絶縁カバーを有し、前記底面は、上部金属カバーに対応する下部金属基板および、上部絶縁カバーに対応する下部絶縁基板を有し、また、前記上部金属カバーは前記下部金属基板に電気的に接続され、
前記上部絶縁カバーの内部表面に設置され、前記上部金属カバーおよび前記第２の上部導体とに電気的に接続される、第２の上部導体とを含むことを特徴とするコンピュータ用インターフェイスカード。
【請求項１７】
請求項１６に記載のコンピュータ用インターフェイスカードであって、さらに、
上記回路基板の他端に設置され、コンピュータの第３のコネクタおよび、前記第１のコネクタとに電気的に接続される、第２のコネクタを含み、前記第２のコネクタと前記第３のコネクタとの間の上記信号伝送インターフェイスが、ＰＣＭＣＩＡ、カードバス、またはエクスプレスカードバスインターフェイスであり、
前記回路基板の下部表面に設置され、前記回路基板の接地端および前記下部金属基板に電気的に接続される、複数の第１の下部導体を含むことを特徴とするコンピュータ用インターフェイスカード。
【請求項１８】
上記コンピュータがスロットを有し、このスロットが、スロットの底部および金属スロットの壁を有し、
前記スロットの底部には上記第３のコネクタが設置され、
前記コンピュータ用インターフェイスカードは、さらに、
前記下部金属基板の外部表面に設置され、前記下部金属基板に電気的に接続される、第２の下部導体を含み、
前記第２の下部導体は、前記第２のコネクタが上記コンピュータの前記第３のコネクタに電気的に接続される際に、前記金属スロットの壁に電気的に接続されることを特徴とする請求項１７に記載のコンピュータ用インターフェイスカード。
【請求項１９】
請求項１６に記載のコンピュータ用インターフェイスカードであって、さらに、
前記回路基板の上部表面に設置され、前記回路基板の接地端および、前記上部金属カバーに電気的に接続される、複数の第３の上部導体を含むことを特徴とするコンピュータ用インターフェイスカード。
【発明の詳細な説明】
【技術分野】
【０００１】
本発明は概ね、コンピュータ用インターフェイスカードに係り、より詳細には、ケーブルを介してノイズがコンピュータから取り出され、ケーブルに蓄積するのを防止するだけでなく、ケーブルによる電磁干渉（ＥＭＩ）の問題の発生をも防ぐ、コンピュータ用インターフェイスカードに関する。
【背景技術】
【０００２】
今日の社会において、科学および技術は急速に発展し、コンピュータは現代人の日々の生活において不可欠な道具となった。コンピュータでは、デジタルのＡＶ（オーディオ／ビデオ）信号しか再生可能でないため、ＴＶ（Ｔｅｌｅｖｉｓｉｏｎの略）局により出力されたアナログのＴＶ用ＡＶ信号は、直接コンピュータでは再生できない。したがって、アナログのＴＶ用ＡＶ信号をデジタルのＡＶ信号に変換し、直接コンピュータで再生するために、ＡＶ信号変換装置が発明されている。
【０００３】
広く使用されているＡＶ信号変換装置には、ＴＶチューナーカードなどがあり、ＴＶキャプチャーカードとも呼ばれるこのカードを使用すると、ＴＶカードを介して、コンピュータの画面でＴＶ信号を見ることができる。しかし、ＰＣＩインターフェイスであり、主にデスクトップコンピュータに使用される標準的なＴＶカードは、ホットプラグ機能をサポートしていない。一方、主にノートブックコンピュータに使用される新しいＴＶカードは、たとえば、特許文献１において開示されているＴＶキャプチャーボードなどのような、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎの略）、カードバス（Ｃａｒｄ  Ｂｕｓ）または  エクスプレスカードバス（Ｅｘｐｒｅｓｓ  Ｃａｒｄ  Ｂｕｓ）インターフェイスである。ＴＶキャプチャーボードは、ＴＶケーブルを介してＴＶ信号を受信し、さらに、受信したＴＶ信号を、ノートブックコンピュータにおいて直接再生可能な、ＡＶ信号に変換する。
【０００４】
しかし、ＴＶケーブルは、ノイズを伝送する敏感な経路であるため、ある程度の長さを持つ場合には、アンテナの効果を生む。したがって、ノートブックコンピュータのノイズは、ＴＶカードを介して、ＴＶケーブルによって簡単に取り出され、ＴＶケーブルに蓄積し、それにより電磁干渉（ＥＭＩ）の問題が発生する。それが原因となり、要求された基準を満たすことができない。ＰＣＭＣＩＡ、カードバス、またはエクスプレスカードバスインターフェイスを使用するその他の電気機器には、ケーブルに接続するタイプのコンピュータ用インターフェイスカードなどがあり、ケーブルによってコンピュータからノイズが取り出され、それによってノイズがケーブルに蓄積した場合に、電磁干渉（ＥＭＩ）の問題が発生する。
【特許文献１】台湾特許公開Ｍ２４２９５５号
【発明の開示】
【発明が解決しようとする課題】
【０００５】
したがって、本発明の目的は、コンピュータ用インターフェイスカードを提供することである。相互におよび電気的に接続された、回路基板の接地端、上部導体、金属カバー、金属基板、下部導体および金属スロットの壁の設計によって、コンピュータのノイズの帰路は短くなり、ケーブルを介しての電磁干渉（ＥＭＩ）の放射が減少する。それによりノイズは、コンピュータ用インターフェイスカード上をコンピュータまで戻ってくる。さらに、相互におよび電気的に接続された、本発明のコネクタ、上部導体、上部金属カバー、下部金属基礎、下部導体および金属スロットの壁の設計により、電磁干渉（ＥＭＩ）放射を、ケーブルを介して放出する前に、コンピュータに戻すことができる。上記の作業を行うことにより、ケーブルによってコンピュータからノイズが取り出され、コンピュータ上に蓄積するのを防ぐことができるだけでなく、ケーブルが電磁干渉（ＥＭＩ）の問題を引き起こすこともまた防ぐことができる。これにより、要求された基準を満たすことができる。
【課題を解決するための手段】
【０００６】
本発明の目的を達成するために、回路基板、第1のコネクタ、第２のコネクタ、複数の第1の上部導体、第２の上部導体、第３の上部導体、カバーおよび底部を有する、コンピュータ用インターフェイスカードを提供する。回路基板は上部表面および下部表面を有する。第1のコネクタは、回路基板の一端に設置され、ケーブルに電気的に接続される。第２のコネクタは、回路基板の他端に設置され、コンピュータの第３のコネクタおよび第1のコネクタに電気的に接続される。第２のコネクタと第３のコネクタとの間にある信号伝送インターフェイスは、ＰＣＭＣＩＡ、カードバス、またはエクスプレスカードバスインターフェイスを有する。第１の上部導体は回路基板の上部表面に設置され、回路基板の一端に電気的に接続される。第２の上部導体は、第１のコネクタの金属シェル上に設置され、第１のコネクタの金属シェルに電気的に接続される。カバーおよび底部は、一緒に留められて回路基板を支持し、第１のコネクタと第２のコネクタの一部を露出する。カバーは、上部金属カバーおよび上部絶縁カバーを有する。また、底部は、上部金属カバーに対応する下部金属基板と、上部絶縁カバーに対応する下部絶縁基板を有する。上部金属カバーは、複数の第１の上部導体および下部金属基板に電気的に接続される。第３の上部導体は、上部絶縁カバーの内部表面に設置され、上部金属カバーおよび第２の上部導体に電気的に接続される。
【０００７】
本発明の他の目的を達成するために、回路基板、第１のコネクタ、いくつかの第１の上部導体、カバーおよび底部を含むコンピュータ用インターフェイスカードを提供する。回路基板は、上部表面および下部表面を有する。第１のコネクタは、回路基板に設置され、コンピュータの第２のコネクタに電気的に接続される。第１のコネクタと第２のコネクタとの間にある信号伝送インターフェイスは、ＰＣＭＣＩＡ、カードバス、またはエクスプレスカードバスインターフェイスを有する。第一の上部導体は、回路基板の上部表面に設置され、回路基板の一端に電気的に接続される。カバーおよび底部は、一緒に留められ回路基板を支持し、第１のコネクタの一部を露出する。カバーは、上部金属カバーおよび上部絶縁カバーを有し、一方、底部は、上部金属カバーに対応する下部金属基板と、上部絶縁カバーに対応する下部絶縁基板とを有する。上部金属カバーは、第１の上部導体および下部金属基板に電気的に接続される。
【０００８】
本発明のさらに他の目的を達成するために、回路基板、第１のコネクタ、第１の上部導体、第２の上部導体、カバーおよび底部を含むコンピュータ用インターフェイスカードを提供する。回路基板は、上部表面および下部表面を有する。第１のコネクタは、回路基板の一端に設置され、ケーブルに電気的に接続される。第１の上部導体は、第１のコネクタの金属シェルに設置され、この第１のコネクタの金属シェルに電気的に接続される。カバーおよび底部は、一緒に留められ回路基板を支持し、第１のコネクタの一部を露出する。カバーは、上部金属カバーおよび上部絶縁カバーを有し、一方、底部は、上部金属カバーに対応する下部金属基板と、上部絶縁基板に対応する下部絶縁基板を有する。上部金属カバーは下部金属基板に電気的に接続される。第３の上部導体は上部絶縁カバーの内部表面に設置され、上部金属カバーおよび第２の上部導体に電気的に接続される。
【発明を実施するための最良の形態】
【０００９】
本発明の他の目的、特徴、および利点は、以下の、最良だがそれに限定されない実施形態の詳細な説明において開示する。以下、添付図面を参照して本発明を詳細に説明する。
【実施例１】
【００１０】
図１ないし図７を参照すると、図１は、本発明の第１の実施形態による、コンピュータ用インターフェイスカードおよびコンピュータの断面分解図である。図２は本発明の第１の実施形態による、コンピュータ用インターフェイスカードおよびコンピュータの断面組立図である。図３は、図１のコンピュータ用インターフェイスカードの、回路基板の平面図である。図４は、図１のコンピュータ用インターフェイスカードの、カバーの底面図である。図５は、図１のコンピュータ用インターフェイスカードの、回路基板の底面図である。図６は、図１のコンピュータ用インターフェイスカードの、底部の平面図である。図７は、図１のコンピュータ用インターフェイスカードの、底部の底面図である。図１および図２において、本実施形態に開示されているコンピュータ用インターフェイスカード１０は、少なくとも、ケーブル１９およびコンピュータ２０に接続しており、このケーブル１９を介して、アナログまたはデジタルのオーディオ／ビデオ（ＡＶ）信号を受信する。変調およびＡＶデコーディング処理のあとに、コンピュータ用インターフェイスカード１０は、コンピュータ２０にデジタルＡＶ信号を出力する。コンピュータ２０は、たとえばＭＰＥＧまたはＭＰＥＧ２のＡＶ信号などのような、受信したデジタルＡＶ信号を再生することができる。コンピュータ用インターフェイスカード１０とコンピュータ２０との間の構造、および電気的な接続関係は以下に開示する。コンピュータ用インターフェイスカード１０の構造は、コンピュータ２０とコンピュータ用インターフェイスカード１０との間の電気的な接続関係の、部分的構造とともに例示する。本実施形態では、コンピュータ用インターフェイスカード１０およびコンピュータ２０はそれぞれ、ＴＶカードおよびノートブックコンピュータの構造とに例示する。ただし、本実施形態の技術はそれに限定されない。
【００１１】
図１および図２に示すように、コンピュータ用インターフェイスカード１０は、少なくとも、回路基板１１、第１のコネクタ１２、第２のコネクタ１３、いくつかの第１の上部導体１４、第２の上部導体１５、第３の上部導体１６、カバー１７および底部１８を含む。回路基板１１は、上部表面１１ａおよび下部表面１１ｂを有する。第１のコネクタ１２は、回路基板１１の一端に設置され、たとえばＴＶケーブルなどのケーブル１９に電気的に接続される。それにより、第１のコネクタ１２は、ケーブル１９を介してＴＶ信号を受信することができる。本実施形態において、ケーブル１９はホットプラグ可能であり、第１のコネクタ１２に電気的に接続される。それにより、第１のコネクタ１２は、ケーブル１９を介してＴＶ信号を受信することができる。第１のコネクタ１２は、回路基板１１の、上部表面１１ａもしくは下部表面１１ｂ上に設置可能である。本実施形態において、第１のコネクタ１２は、上部表面１１ａに設置され、回路基板１１の一方の面に隣接している。
【００１２】
第２のコネクタ１３は、回路基板１１の他端に設置されており、コンピュータ２０の第３のコネクタ２１および第１のコネクタ１２に電気的に接続される。たとえば、第２のコネクタ１３はホットプラグ可能であり、第３のコネクタ２１に電気的に接続される。第２のコネクタ１３と第３のコネクタ２１との間の信号伝送インターフェイスは、ＰＣＭＣＩＡ、カードバス、またはエクスプレスカードバスインターフェイスを含む。さらに、内部回路をともなった上記の配置設計が、回路基板１１上に設置されることにより、第１のコネクタ１２は、回路基板１１の内部回路を介して第２のコネクタ１３に電気的に接続することができる。
【００１３】
その上、コンピュータ２０はスロット２２およびプラスチック枠２４を有する。スロット２２および第３のコネクタ２１はいずれも、プラスチック枠２４内に設置され、一方で、プラスチック枠２４の上部表面には、キーボードおよびタッチパッドが設置可能である。スロット２２は、スロットの底部２２ａおよび金属のスロットの壁２２ｂを有する。金属スロットの壁２２ｂおよびコンピュータ２０の金属シェル全体は、一緒に電気的に接続されるか、もしくはワンピース構造とすることができる。スロットの底部２２ａには、第３のコネクタ２１が設置され、一方、スロット２２は、プラスチック枠２４の側面（脇の部分）に開口２２ｃを形作る。したがって、コンピュータ用インターフェイスカード１０の構造の一部は、図１ないし図２のＸ軸の方向に沿って、コンピュータ２０のスロット２２を出たり入ったりする。それにより、第２のコネクタ１３はホットプラグ可能となり、第３のコネクタ２１に電気的に接続することができる。
【００１４】
これに対して、図３で示すように、第１の上部導体１４は、回路基板１１の上部表面１１ａに設置され、回路基板１１の接地端（GND）に電気的に接続される。第１の上部導体１４の個数は、たとえば、５個でよい。第２の上部導体１５は、第１のコネクタ１２の金属シェル上に設置され、第１のコネクタ１２の金属シェルに電気的に接続される。第２の上部導体１５は、たとえば導電スポンジでよい。図３において、コンピュータ用インターフェイスカード１０はさらに、いくつかの上部金属パッド１４ａを有する。上部金属パッド１４ａの個数は、たとえば５個でよい。上部金属パッド１４ａは、回路基板１１の上部表面１１ａに設置され、それにより、第１の上部導体１４は回路基板１１の接地端に電気的に接続される。これに対応して、上部金属パッド１４ａ上には、第１の上部導体１４が設置されている。上部金属パッド１４ａの配置は、回路基板１１の上部表面１１ａ上にスズのステップ照射を実行することによって実現し、よって、たとえばスズパッドなど上部金属パッド１４ａがそろう。
【００１５】
さらに、図１ないし図２に示すように、カバー１７および底部１８は、回路基板１１を支持するように一緒にとめられ、第１のコネクタ１２および第２のコネクタ１３の一部を露出する。それにより、第１のコネクタ１２および第２のコネクタ１３はそれぞれ、コンピュータ２０のケーブル１９および第３のコネクタ２１に電気的に接続される。カバー１７は、上部金属カバー１７ａおよび上部絶縁カバー１７ｂを有する。底部１８は、上部金属カバー１７ａに対応する下部金属基板１８ａと、上部絶縁カバー１７ｂに対応する下部絶縁基板１８ｂとを有する。上部金属カバー１７ａは、第１の上部導体１４および下部金属基板１８ａに電気的に接続される。上部金属カバー１７ａと上部絶縁カバー１７ｂとの間の接続は、下部金属基板１８ａと下部絶縁基板１８ｂとの間の接続に対応している。さらに、第１の上部導体１４のうち一つは、上部金属カバー１７ａと上部絶縁カバー１７ｂとの間の接続、および、下部金属基板１８ａと下部絶縁基板１８ｂとの間の接続の両方に対応している。本実施形態において、特定された１つの第１の上部導体１４は、上部金属カバー１７ａと上部絶縁カバー１７ｂとの間の接続および、下部金属基板１８ａと下部絶縁基板１８ｂとの間の接続の両方に対応しており、この１つの第１の上部導体１４は、たとえば導電スポンジでよい。一方、残り４つの第１の上部導体１４は、上部金属カバー１７ａに電気的に接続され、左右および上下が対称になっている。これら４つの第１の上部導体１４は、たとえば金属ゴムの断片４つでよい。ある実施形態においては、上部絶縁カバー１７ｂおよび下部絶縁基板１８ｂは、それぞれ、プラスチックカバーおよびプラスチック基板でよい。
【００１６】
図４に示すように、第３の上部導体１６は、上部絶縁カバー１７ｂの内部表面に設置され、上部金属カバー１７ａの内部表面にまで伸びている。また、第３の上部導体１６は、上部金属カバー１７ａおよび第２の上部導体１５に電気的に接続されている。さらに、第３の上部導体１６は導電布でよく、カバー１７の内部表面の一部に貼付される。また、第３の上部導体１６の一端は、第２の上部導体１５に電気的に接続される。一方、第３の上部導体１６の他端は、上部金属カバー１７ａおよび第１の上部導体１４に電気的に接続され、上部金属カバー１７ａと上部絶縁カバー１７ｂとの間の接続に対応する。図４において、上部金属カバー１７ａが、第１の上部導体１４以外の何らかの電子部品または回路と、誤って接触することを防ぐために、コンピュータ用インターフェイスカード１０はさらに、上部マイラー２５を含む。上部マイラー２５は、上部金属カバー１７ａの内部表面の一部に接するように設置され、いくつかの上部開口２５ａを有する。上部開口２５ａの個数は、たとえば４つでよい。これらの上部開口２５ａにより、左右対称になっている４つの第１の上部導体１４を、上部金属カバー１７ａに電気的に接続することができる。上部マイラー２５はさらに、第３の上部導体１６にまで伸ばすことができ、さらに、２つの開口を有する。そのうち１つの開口によって、上部金属カバー１７ａと上部絶縁カバー１７ｂとの間の接続に対応している第１の上部導体１４の特定の１つが、貫通して第３の上部導体１６および上部金属カバー１７ａに電気的に接続される。一方、もう一つの開口によって、第２の上部導体１５は、貫通して第３の上部導体１６に電気的に接続される。
【００１７】
図１、図２および図５に示すように、コンピュータ用インターフェイスカード１０はさらに、複数の第１の下部導体２６を含む。これら複数の第１の下部導体２６は、たとえば２個でよい。上下対称に設置されているこれら２個の第１の下部導体２６は、下部表面１１ｂに対応して設置され、回路基板１１の接地端および下部金属基板１８ａに電気的に接続される。それに加えて、コンピュータ用インターフェイスカード１０はさらに、複数の下部金属パッド２６ａを含む。これら複数の下部金属パッド２６ａは、２個でよい。下部金属パッド２６ａは、下部表面１１ｂ上に設置され、それにより、第１の下部導体２６は、回路基板１１の接地端に電気的に接続される。これに対応して、下部金属パッド２６ａには、第１の下部導体２６が設置される。下部金属パッド２６ａの配置は、回路基板１１の下部表面１１ｂ上にスズのステップ照射を実行することによって実現し、それにより複数の、スズパッドである下部金属パッド２６ａがそろう。
【００１８】
図１、図２および図６に示すように、下部金属基板１８ａが、第１の下部導体２６以外の何らかの電子部品または回路と、誤って接触するのを防ぐために、コンピュータ用インターフェイスカード１０はさらに、下部マイラー２７を含む。下部マイラー２７は、下部金属基板１８ａの内部表面の一部に接するように設置され、いくつかの下部開口２７ａを有する。下部開口２７ａの個数は、たとえば２個でよい。これら複数の下部開口２７ａにより、上下対称である第１の下部導体２６を、下部金属カバー１８ａに電気的に接続することができる。
【００１９】
図１、図２および図７に示すように、上部金属カバー１７ａおよび下部金属基板１８ａが、スロット２２の金属スロットの壁２２ｂに電気的に接続されるために、コンピュータ用インターフェイスカード１０はさらに、第２の下部導体２８を含む。第２の下部導体２８は、下部金属基板１８ａの外部表面に設置され、この下部金属基板１８ａに電気的に接続される。第２のコネクタ１３がコンピュータ２０の第３のコネクタ２１に電気的に接続されると、第２の下部導体２８は、金属スロットの壁２２ｂに電気的に接続される。それに加えて、上部金属カバー１７ａと上部絶縁カバー１７ｂとの間の接続、下部金属基板１８ａと下部絶縁基板１８ｂとの間の接続、および第１の上部導体１４は、それぞれ、スロット２２の開口２２ｃに対応しており、したがって、上部金属カバー１７ａおよび下部金属基板１８ａはスロット２２内に設置され、また、上部絶縁カバー１７ｂおよび下部絶縁基板１８ｂは、スロット２２の開口２２ｃの外部に露出する。
【００２０】
しかし、本実施形態の技術の当業者ならば誰でも、本実施形態の技術が、ここに開示する内容のみに限定されないことを理解できるであろう。たとえば、上部金属カバー１７ａ、下部金属基板１８ａ、および金属スロットの壁２２ｂは、コバルト、ニッケル、鉄、金、銀、銅、アルミニウムまたはスズ、および上記のうちいずれかを組み合わせたものを含む。上部金属パッド１４ａおよび下部金属パッド２６ａは、スズ、金、銀、銅、アルミニウム、コバルトまたはニッケル、およびこれらのうちいずれかを組み合わせたものを含む。第１の上部導体１４、第２の上部導体１５、第３の上部導体１６、第１の下部導体２６、および第２の下部導体２８は、金属、導電性弾性体、導電性ゴムの断片、導電性バネ、導電布または導電スポンジ、およびこれらのうちいずれかを組み合わせたものを含む。
【００２１】
本実施形態において、相互におよび電気的に接続された、回路基板１１の接地端、第１の上部導体１４、第１の下部導体２６、上部金属カバー１７ａ、下部金属基板１８ａ、第２の下部導体２８および金属スロットの壁２２ｂの設計によって、コンピュータ２０のノイズの帰路は短くなり、ケーブル１９を介しての電磁干渉（ＥＭＩ）放射が減少する。それにより、コンピュータ用インターフェイスカード１０を挿入した際に、ノイズがコンピュータ２０に戻ってくることができる。
【００２２】
本実施形態によれば、相互におよび電気的に接続された、第１のコネクタ１１、第２の上部導体１５、第３の上部導体１６、上部金属カバー１７ａ、下部金属基板１８ａ、第２の下部導体２８および金属スロットの壁２２ｂの設計により、電磁干渉放射は、ケーブル１９を介して放射されるよりも前にコンピュータ２０に戻ってくることができる。上記の形態を実施すると、ケーブル１９によってコンピュータ２０からノイズが取り出され、コンピュータ２０に蓄積することが抑えられるだけでなく、ケーブルが電磁干渉の問題を引き起こすこともまた抑えられる。これによって、要求された基準が満たされる。
【実施例２】
【００２３】
図８を参照すると、図８は、本発明の第２の実施形態による、コンピュータ用インターフェイスカードの回路基板の平面図を示す。図８において、本実施形態におけるコンピュータ用インターフェイスカード８０は、第１の実施形態におけるコンピュータ用インターフェイスカード１０と異なり、本実施形態はさらに、回路基板１１の上部表面１１ａに設置される、第４のコネクタ８２および第４の上部導体８５を有する。残りの実施形態に関しては、同一であるとともに、同様の番号が付与されているため、ここでは繰り返し説明しない。
【００２４】
図８で示すように、第４のコネクタ８２は、第１のコネクタ１２と隣接し、また、回路基板１１の内部回路を通して、第２のコネクタ１３に電気的に接続される。第４のコネクタ８２の金属シェル上に設置される、第４の上部導体８５は、たとえば、導電スポンジである。図４ないし図５に示すカバー１７と底部１８とが一緒に留められ、図８に示す回路基板１１を支持する場合、第４のコネクタ８２の一部は、カバー１７および底部１８の外部に露出することができる。第４の上部導体８５は、図４に示す第３の上部導体１６に電気的に接続される。
【００２５】
しかしながら、本実施形態の技術の当業者であれば誰でも、本発明の技術が、ここに開示する内容のみに限定されないことを理解できるであろう。たとえば、第４のコネクタ８２の信号伝送インターフェイスは、ユニバーサル・シリアル・バス（ＵＳＢ）インターフェイス、もしくはＩＥＥＥ１３９４バスインターフェイスを含むことができる。第４のコネクタ８２は、ＵＳＢもしくはＩＥＥＥ１３９４に準拠した拡張アダプタに、外部から接続できる。拡張アダプタは、ハンディドライブ、レコーダペン、またはＭＰ３プレイヤなどのような、ＵＳＢまたはＩＥＥＥ１３９４を伴った電子機器に、電気的に接続できる。もしくは、第４のコネクタ８２は、Ｓ−ビデオ信号線、Ｖ−ビデオ信号線、または左右音声信号ラインに電気的に接続できる。第４のコネクタ８２は、Ｓ−ビデオ信号線、Ｖ−ビデオ信号線、または左右音声信号ラインが付属した拡張アダプタに、外部から電気的に接続できる。拡張アダプタは、テレビゲーム機用ステーション、デジタルスチールカメラ、デジタルビデオレコーダ、ビデオプレイヤ、ＶＣＤプレイヤ、またはＤＶＤプレイヤなどの、ＡＶ出力機器に電気的に接続することができる。さらに、第４の上部導体８５は、金属、導電性弾性体、導電性ゴムの断片、導電性バネ、導電布、または導電スポンジを含むことができる。
【００２６】
本実施形態において、相互におよび電気的に接続された、第１のコネクタ１１、第４のコネクタ８４、第２の上部導体１５、第３の上部導体１６、第４の上部導体８５、上部金属カバー１７ａ、下部金属基板１８ａ、第２の下部導体２８および金属スロットの壁２２ｂの設計により、電磁干渉放射は、ケーブル１９を介して放射されるよりも前に、コンピュータへ引き戻される。上記の形態を実施すると、ケーブル１９によってノイズがコンピュータから取り出され、ケーブル１９に蓄積することが抑えられるだけでなく、ケーブル１９が電磁干渉の問題を引き起こすことも抑えられる。これによって、要求された基準が満たされる。
【実施例３】
【００２７】
図９を参照すると、図９は、本発明の第３の実施形態による、コンピュータ用インターフェイスカードの回路基板の平面図を示す。図９において、本実施形態におけるコンピュータ用インターフェイスカード９０は、第２の実施形態におけるコンピュータ用インターフェイスカード８０と異なり、本実施形態はさらに、回路基板１１の上部表面１１ａに設置される、第５のコネクタ９２および第５の上部導体９５を有する。残りの実施形態に関しては、同一であるとともに、同様の番号が付与されているため、ここでは繰り返し説明しない。
【００２８】
図９に示すように、第５のコネクタ９２は、第４のコネクタ８２と隣接し、また、回路基板１１の内部回路および第２のコネクタ１３を介して、第４のコネクタ８２に電気的に接続される。第５の上部導体９５は、第５のコネクタ９２の金属シェル上に設置される。第５の上部導体９５は、たとえば、導電スポンジである。図４ないし図５に示すカバー１７および底部１８が、一緒に留められ、図９に示す回路基板１１を支持する場合、第５のコネクタ９２の一部は、カバー１７および底部１８の外部に露出することができる。一方、第５の上部導体９５は、図４に示す第３の上部導体１６に電気的に接続される。
【００２９】
しかしながら、本実施形態の技術の当業者であれば誰でも、本発明の技術が、ここに開示する内容のみに限定されないことを理解できるであろう。たとえば、第４のコネクタ８２の信号伝送インターフェイスは、ユニバーサル・シリアル・バス（ＵＳＢ）インターフェイス、もしくはＩＥＥＥ１３９４バスインターフェイスを含むことができる。第４のコネクタ８２は、ＵＳＢもしくはＩＥＥＥ１３９４に準拠した拡張アダプタに、外部から接続できる。さらに、第５のコネクタ９２は、Ｓ−ビデオ信号線、Ｖ−ビデオ信号線、または左右音声信号ラインに電気的に接続できる。また、第５のコネクタ９２は、Ｓ−ビデオ信号線、Ｖ−ビデオ信号線、または左右音声信号ラインが付属する拡張アダプタに外部から接続できる。さらに、第５の上部導体９５は、金属、導電性弾性体、導電性ゴムの断片、導電性バネ、導電布、または導電スポンジを含むことができる。
【００３０】
本実施形態では、相互におよび電気的に接続された、第１のコネクタ１１、第４のコネクタ８４、第５のコネクタ８５、第２の上部導体１５、第３の上部導体１６、第４の上部導体８５、第５の上部胴体９５、上部金属カバー１７ａ、下部金属基板１８ａ、第２の下部導体２８および金属スロットの壁２２ｂの設計によって、電磁干渉放射は、ケーブル１９を介して放射されるよりも前に、コンピュ−タに引き戻される。上記の形態を実施すると、ケーブル１９によってノイズがコンピュータから取り出され、ケーブル１９に蓄積することが抑えられるだけでなく、ケーブル１９が電磁干渉の問題を引き起こすことも抑えられる。これによって、要求された基準が満たされる。
【実施例４】
【００３１】
図１０を参照すると、図１０は、本発明の第４の実施形態による、コンピュータ用インターフェイスカードの回路基板の、断面図を示す。本実施形態におけるコンピュータ用インターフェイスカード１００は、第１の実施形態におけるコンピュータ用インターフェイスカード１０と異なり、金属カバー１０７および金属基板１０８が加わり、一方で、第３の上部導体１６が除かれる。残りの実施形態に関しては、同一であるとともに、同様の番号が付与されているため、ここでは繰り返し説明しない。
【００３２】
図１０において、金属カバー１０７および金属基板１０８は、一緒に留められ回路基板１０を支持し、第１のコネクタ１２の一部および第２のコネクタ１３が露出する。金属カバー１０７は、金属基板１０８、第１の上部導体１４および第２の上部導体１５に電気的に接続される。さらに、金属カバー１０７および金属基板１０８は、コバルト、ニッケル、鉄、金、銀、銅、アルミニウムまたはスズ、および、上記のうちいずれかを組み合わせたものを含む。
【００３３】
しかし、本実施形態の技術の当業者であれば誰でも、本発明の技術が、ここに開示する内容のみに限定されないことを理解できるであろう。たとえば、第４のコネクタ８２および第４の上部導体８５は、図８に示す回路基板１０の上に設置することができる。したがって、第４のコネクタ８２は、金属カバー１０７および金属基板１０８の外部に露出することが可能であり、また、第４の上部導体８５は、金属カバー１０７に電気的に接続される。第４のコネクタ８２の信号伝送インターフェイスは、ユニバーサル・シリアル・バス（ＵＳＢ）インターフェイス、またはＩＥＥＥ１３９４バスインターフェイスを含むことができる。第４のコネクタ８２は、ＵＳＢもしくはＩＥＥＥ１３９４に準拠した拡張アダプタに、外部から接続できる。または、第４のコネクタ８２は、Ｓ−ビデオ信号線、Ｖ−ビデオ信号線、または左右音声信号ラインに電気的に接続できる。また、第４のコネクタ８２は、Ｓ−ビデオ信号線、Ｖ−ビデオ信号線、または左右音声信号ラインが付属した拡張アダプタに、外部から接続できる。
【００３４】
それに加えて、図９に示すように、回路基板１０にはさらに、第４のコネクタ８２、第５のコネクタ９２、第４の上部導体８５、および第５の上部導体９５を有することができる。したがって、第４のコネクタ８２および第５のコネクタ９２は、金属カバー１０７および金属基板１０８の外部に部分構造を露出することができ、一方で、第４の上部導体８５および第５の上部導体９５は、金属カバー１０７に電気的に接続される。第４のコネクタ８２の信号伝送インターフェイスは、ユニバーサル・シリアル・バス（ＵＳＢ）インターフェイス、またはＩＥＥＥ１３９４バスインターフェイスを含むことができる。第４のコネクタ８２は、ＵＳＢもしくはＩＥＥＥ１３９４に準拠した拡張アダプタに、外部から接続できる。それに加えて、第５のコネクタ９２は、Ｓ−ビデオ信号線、Ｖ−ビデオ信号線、または左右音声信号ラインに電気的に接続できる。すなわち、第５のコネクタ９２は、Ｓ−ビデオ信号線、Ｖ−ビデオ信号線、または左右音声信号ラインが付属した拡張アダプタに、外部から接続できる。
【００３５】
本実施形態では、相互におよび電気的に接続された、回路基板１１の接地端、第１の上部導体１４、第１の下部導体２６、金属カバー１０７、金属基板１０８、第２の下部導体２８および金属スロットの壁２２ｂの設計により、コンピュータ２０のノイズの帰路は短くなり、ケーブル１９を介して放射される電磁干渉（ＥＭＩ）放射が減少し、コンピュータ用インターフェイスカード１０が挿入された際に、ノイズがコンピュータ２０に戻ってくることができる。
【００３６】
本実施形態では、相互におよび電気的に接続された、第１のコネクタ１１、第２のコネクタ１５、第３の上部導体１６、金属カバー１０７、金属基板１０８、第２の下部導体２８および金属スロットの壁２２ｂの設計により、電磁干渉（ＥＭＩ）放射は、ケーブル１９を介して放射されるよりも前に、コンピュータへ引き戻される。上記の形態を実施すると、ケーブル１９によってコンピュータからノイズが取り出され、ケーブル１９に蓄積することが抑えられるだけでなく、ケーブル１９が電磁干渉の問題を引き起こすことをも抑えられる。これによって、要求された基準が満たされる。
【００３７】
本発明の上記複数の実施形態に開示した、コンピュータ用インターフェイスカードによれば、相互におよび電気的に接続された、前記回路基板の接地端、前記上部導体、前記金属カバー、前記金属基板、前記下部導体および前記金属スロットの設計により、コンピュータのノイズの帰路は短くなり、前記ケーブルを介して放射される電磁干渉（ＥＭＩ）放射が減少し、コンピュータ用インターフェイスカード１０が挿入された際に、ノイズが前記コンピュータに戻ってくることができる。さらに、第４の実施形態において、相互におよび電気的に接続された、コネクタ、上部導体、上部金属カバー、下部金属基板、下部導体および金属スロットの壁の設計により、電磁干渉放射は、ケーブルを介して放射されるよりも前に、コンピュータへ引き戻される。上記の形態を実施すると、ケーブルによってコンピュータからノイズが取り出され、前記ケーブルに蓄積することが抑えられるだけでなく、ケーブルが電磁干渉の問題を引き起こすことをも抑えられる。これによって、要求された基準が満たされる。
【００３８】
上記複数の実施形態は、ＴＶカードおよび、ノートブックコンピュータとに例示する。しかし、本実施形態の技術は、その内容のみに限定されない。上記複数の実施形態、および、ケーブルに関する電磁干渉の問題を解決する技術は、たとえば他の型のコンピュータ用インターフェイスカードなどのような、ＰＣＭＣＩＡ、カードバス、またはエクスプレスカードバスインターフェイスを使用した他の電子機器にも適用できる。コネクタ、回路基板、金属カバーおよび金属基板は、ノイズのフィードバック経路の設計を成すことが可能であり、それによって、ケーブルによって、コンピュータからノイズが取り出され、ケーブルに蓄積することが抑えられるだけでなく、ケーブルが電磁干渉の問題を引き起こすことも抑えられる。これによって、要求された基準が満たされる。
【００３９】
本発明を、例および好ましい実施形態に関して開示してきたが、本発明は、以上で詳述したものに制限されないものと理解されるべきである。反対に、さまざまな修正、同様の処置および手続きを保護するように意図されているものである。また、添付した特許請求の範囲には、したがって、広範な解釈が認められるべきであり、それにより、上記のような修正、同様なる処置および手続きのすべてを含むことができる。
【図面の簡単な説明】
【００４０】
【図１】コンピュータ用インターフェイスカードおよび本発明の第１の実施形態によるコンピュータの断面分解図である。
【図２】コンピュータ用インターフェイスカードおよび本発明の第１の実施形態によるコンピュータの断面分解図である。
【図３】図１に示すコンピュータ用インターフェイスカードの回路基板の平面図である。
【図４】図１に示すコンピュータ用インターフェイスカードのカバーの底面図である。
【図５】図１に示すコンピュータ用インターフェイスカードの回路基板の底面図である。
【図６】図１に示すコンピュータ用インターフェイスカードの底部の平面図である。
【図７】図１に示すコンピュータ用インターフェイスカードの底部の底面図である。
【図８】本発明の第２の実施形態による、コンピュータ用インターフェイスカードの回路基板の平面図である。
【図９】本発明の第３の実施形態による、コンピュータ用インターフェイスカードの回路基板の平面図である。
【図１０】本発明の第４の実施形態による、コンピュータ用インターフェイスカードの断面図である。
【符号の説明】
【００４１】
１０：コンピュータ用インターフェイスカード
１１：回路基板
１１ａ：上部表面
１１ｂ：下部表面
１２：第１のコネクタ
１３：第２のコネクタ
１４：第１の上部導体  
１４ａ：上部金属パッド
１５：第２の上部導体
１６：第３の上部導体
１７：カバー
１７ａ：上部金属カバー
１７ｂ：上部絶縁カバー
１８：底部
１８ａ：下部金属基板
１８ｂ：下部絶縁基板
１９：ケーブル
２０：コンピュータ
２１：第３のコネクタ
２２：スロット
２２ａ：スロット底部
２２ｂ：金属スロットの壁
２２ｃ：開口
２４：プラスチック枠
２５：上部マイラー
２５ａ：上部開口
２６：第１の下部導体
２６ａ：下部金属パッド
２７：下部マイラー
２７ａ：下部開口
２８：第２の下部導体
８０：コンピュータ用インターフェイスカード
８２：第４のコネクタ
８５：第４の上部導体
９２：第５のコネクタ
９５：第５の上部導体
１００：コンピュータ用インターフェイスカード
１０７：金属カバー
１０８：金属基板
【図１】
2006202256.tif 000003
【図２】
2006202256.tif 000004
【図３】
2006202256.tif 000005
【図４】
2006202256.tif 000006
【図５】
2006202256.tif 000007
【図６】
2006202256.tif 000008
【図７】
2006202256.tif 000009
【図８】
2006202256.tif 000010
【図９】
2006202256.tif 000011
【図１０】
2006202256.tif 000012